(57)【要約】【課題】連続形式のアーチ橋におけるアーチリブの架設にロアリング工法を適用可能とした上で、架設コストの低減および架設工期の短縮を図る。【解決手段】第１径間と第２径間との間に位置する橋脚本体４４の下端部４４ａに設置された第１および第２回転支承２２、３２から、第１および第２アーチリブ２０Ａ、２０Ｂを略鉛直方向および略水平方向にそれぞれ構築する。これにより施工品質を確保した上で架設工期の短縮を図る。そして、略鉛直方向に構築された第１アーチリブ２０Ａと第２径間へ向けて略水平方向に構築された第２アーチリブ２０Ｂとを形状保持材１００で連結して両者間の位置関係を保持したまま、両アーチリブ２０Ａ、２０Ｂをその架設予定位置まで第１径間側に回動させる。これにより、１回の回動作業で両アーチリブ２０Ａ、２０Ｂを架設可能とし、また、反力支持構造として従来のような大掛かりな仮設構造の設置を不要とする。【選択図】図２
2017048613.tif 000002
【特許請求の範囲】
【請求項１】
橋脚の両側に位置する第１および第２径間に、第１および第２アーチリブがそれぞれ配置されてなるアーチ橋を架設する方法において、
上記橋脚の基端部を構築する工程と、
上記橋脚の基端部に、橋軸直交方向に延びる軸線回りに回動可能な第１および第２回転支承を設置する工程と、
上記第１アーチリブを上記第１回転支承から略鉛直方向に構築する工程と、
上記第２アーチリブを上記第２回転支承から上記第２径間へ向けて略水平方向に構築する工程と、
上記第１および第２アーチリブを、両アーチリブを連結する形状保持材によって両アーチリブ相互間の位置関係を保持したまま両アーチリブの架設予定位置まで上記第１径間側に回動させる工程と、を含むことを特徴とするアーチ橋の架設方法。
【請求項２】
上記第１および第２アーチリブを上記架設予定位置まで回動させた後、上記第１アーチリブを上記第１径間において他のアーチリブと閉合する、ことを特徴とする請求項１記載のアーチ橋の架設方法。
【請求項３】
上記第１および第２アーチリブの上記第１径間側への回動を、
上記第１アーチリブと上記第１径間において上記橋脚とは反対側に位置する他の橋脚の基端部とをケーブルで連結した後、このケーブルを引き込むことによって行う、ことを特徴とする請求項１または２記載のアーチ橋の架設方法。
【請求項４】
上記第１および第２アーチリブの上記第１径間側への回動を、
上記第１アーチリブと上記第１径間において架設済みの他のアーチリブとをケーブルで連結した後、このケーブルを引き込むことによって行う、ことを特徴とする請求項１または２記載のアーチ橋の架設方法。
【請求項５】
上記第１および第２アーチリブの上記第１径間側への回動を、
上記第１アーチリブと上記第１径間において上記橋脚とは反対側に位置する他の橋脚の基端部に設置された他の回転支承から略鉛直方向に構築された他のアーチリブとをケーブルで連結した後、このケーブルを引き込むことにより行う、ことを特徴とする請求項１または２記載のアーチ橋の架設方法。
【請求項６】
上記第１および第２アーチリブの上記第１径間側への回動の際、
上記第２アーチリブと上記第２径間において上記橋脚とは反対側に位置する他の橋脚の基端部とに連結されたケーブルを送り出す、ことを特徴とする請求項１〜５いずれか記載のアーチ橋の架設方法。
【請求項７】
上記第１および第２回転支承として、共通の回転軸を有するピン支承を用いる、ことを特徴とする請求項１〜６いずれか記載のアーチ橋の架設方法。
【発明の詳細な説明】
【技術分野】
【０００１】
本願発明は、連続形式のアーチ橋を架設する方法に関するものである。
【背景技術】
【０００２】
従来より、単アーチ橋においては、そのアーチリブを架設する方法としてロアリング工法が知られている（「特許文献１」参照）。
【０００３】
このロアリング工法においては、アーチアバットに設置された回転支承からアーチリブを略鉛直方向に構築した後、これを架設径間側へ回動させる（すなわちロアリングする）ことにより、アーチリブの架設を行うようになっている。
【０００４】
一方、従来より、アーチ橋の構造として、例えばバランスドアーチ橋のように橋脚両側の架設径間にアーチリブがそれぞれ配置された連続形式のアーチ橋が知られている。
【０００５】
このような連続形式のアーチ橋におけるアーチリブの架設は、従来より、移動式支保工を用いた工法（「特許文献２」参照）や移動作業車を用いた張出し工法等によって行われている。
【先行技術文献】
【特許文献】
【０００６】
【特許文献１】特開２００３−３２１８０５号公報
【特許文献２】特開平８−２０９６３１号公報
【発明の概要】
【発明が解決しようとする課題】
【０００７】
連続形式のアーチ橋においても、そのアーチリブを架設する際にロアリング工法を用いるようにすれば、従来の張出し工法等に比して施工品質を高めることが可能となるが、次のような課題が生じる。
【０００８】
すなわち、ロアリング工法においては、略鉛直方向に構築されたアーチリブを架設径間側へ回動させる作業を円滑に行えるようにするため、アーチリブの先端近傍部位にケーブルを締結してこのケーブルに張力を付与するようになっているが、この張力に抵抗するための反力支持構造を設置する必要がある。
【０００９】
この反力支持構造としては、アーチアバット背後の地盤にアンカーブロックをグランドアンカーによって固定して、このアンカーブロックにケーブルを締結する構造が採用されている。
【００１０】
しかしながら、このような反力支持構造は大掛かりな仮設構造となるため、アーチリブの架設コストがかかってしまい、その架設工期も長くなってしまう。
【００１１】
しかも、連続形式のアーチ橋におけるアーチリブの架設にロアリング工法を適用しようとした場合には、反力支持構造を設置するのに適した場所を選定すること自体が困難な場合が多い。
【００１２】
本願発明は、このような事情に鑑みてなされたものであって、連続形式のアーチ橋におけるアーチリブの架設にロアリング工法を適用可能とした上で、架設コストの低減および架設工期の短縮を図ることができるアーチ橋の架設方法を提供することを目的とするものである。
【課題を解決するための手段】
【００１３】
本願発明は、ロアリング工法の適用対象となるアーチリブに対して橋脚の反対側に位置するアーチリブを有効活用することにより、上記目的達成を図るようにしたものである。
【００１４】
すなわち、本願発明に係るアーチ橋の架設方法は、
橋脚の両側に位置する第１および第２径間に、第１および第２アーチリブがそれぞれ配置されてなるアーチ橋を架設する方法において、
上記橋脚の基端部を構築する工程と、
上記橋脚の基端部に、橋軸直交方向に延びる軸線回りに回動可能な第１および第２回転支承を設置する工程と、
上記第１アーチリブを上記第１回転支承から略鉛直方向に構築する工程と、
上記第２アーチリブを上記第２回転支承から上記第２径間へ向けて略水平方向に構築する工程と、
上記第１および第２アーチリブを、両アーチリブを連結する形状保持材によって両アーチリブ相互間の位置関係を保持したまま両アーチリブの架設予定位置まで上記第１径間側に回動させる工程と、を含むことを特徴とするものである。
【００１５】
上記「橋脚の基端部」は、橋脚本体の下端部であってもよいし、橋脚本体を支持する橋脚基礎の部分であってもよい。
【００１６】
上記「第１および第２アーチリブ」の構築は同時に行ってもよいし、いずれか一方を先行させて行ってもよい。
【００１７】
上記「第１および第２アーチリブ」を第１径間側に回動させるための具体的な方法は特に限定されるものではない。
【発明の効果】
【００１８】
本願発明においては、橋脚の基端部に設置された第１および第２回転支承から、第１および第２アーチリブを略鉛直方向および略水平方向にそれぞれ構築するようになっているので、次のような作用効果を得ることができる。
【００１９】
すなわち、仮に第１および第２アーチリブを従来のように張出し工法で架設した場合には、斜め上方向にアーチリブを１ブロックずつ継ぎ足していくことになるため、施工品質を確保しつつ架設するのが容易でなく、このため架設作業に時間がかかってしまう。これに対し、本願発明のように第１および第２アーチリブを略鉛直方向および略水平方向にそれぞれ構築することにより、施工品質を確保した上で架設工期の短縮を図ることができる。
【００２０】
特に、第１および第２アーチリブがコンクリート製である場合には、これらを略鉛直方向および略水平方向にそれぞれ構築することによりコンクリートの充填性を高めることができ、これにより張出し工法の場合に比して施工品質を高めることができる。
【００２１】
その上で、本願発明においては、第１回転支承から略鉛直方向に構築された第１アーチリブと第２回転支承から第２径間へ向けて略水平方向に構築された第２アーチリブとを形状保持材で連結し、この形状保持材によって両アーチリブ相互間の位置関係を保持したまま両アーチリブをその架設予定位置まで第１径間側に回動させるようになっているので、次のような作用効果を得ることができる。
【００２２】
すなわち、第１および第２アーチリブを一体的に回動させることにより、１回の回動作業で両アーチリブの架設を行うことができる。したがって架設コストの低減および架設工期の短縮を図ることができる。
【００２３】
また、略鉛直方向に構築された第１アーチリブと第２径間へ向けて略水平方向に構築された第２アーチリブとを形状保持材で連結しておくことにより、第１および第２アーチリブを第１径間側に回動させる際の反力支持構造としての機能を、その一部を構成する第２アーチリブ自体に持たせることができる。したがって、反力支持構造として従来のような大掛かりな仮設構造を設置することが不要となり、この点においても架設コストの低減および架設工期の短縮を図ることができる。
【００２４】
このように本願発明によれば、連続形式のアーチ橋におけるアーチリブの架設にロアリング工法を適用可能とした上で、架設コストの低減および架設工期の短縮を図ることができる。
【００２５】
また本願発明においては、第１および第２回転支承が同じ橋脚の基端部に設置されているので、第１および第２回転支承に強度上の連続性を持たせることが容易に可能となる。そしてこのようにすることにより、第１アーチリブからの水平反力と第２アーチリブからの水平反力とを第１および第２回転支承において相殺して、第１および第２回転支承が負担すべき水平反力を最小限に抑えることができる。
【００２６】
その際、第１および第２回転支承として、共通の回転軸を有するピン支承を用いるようにすれば、この回転軸において第１アーチリブからの水平反力と第２アーチリブからの水平反力とを相殺することができ、これにより第１および第２回転支承が負担すべき水平反力を最小限に抑えることができる。
【００２７】
本願発明において、第１および第２アーチリブを架設予定位置まで回動させた後、第１アーチリブを第１径間において他のアーチリブと閉合するようにすれば、多径間連続アーチ橋の架設を効率良く行うことができる。
【００２８】
本願発明において、第１および第２アーチリブの第１径間側への回動を、第１アーチリブと第１径間において上記橋脚とは反対側に位置する他の橋脚の基端部とをケーブルで連結した後、このケーブルを引き込むことによって行うようにすれば、両アーチリブの回動作業を確実に行うことができる。
【００２９】
本願発明において、第１および第２アーチリブの第１径間側への回動を、第１アーチリブと第１径間において架設済みの他のアーチリブとをケーブルで連結した後、このケーブルを引き込むことによって行うようにすれば、多径間連続アーチ橋の架設を効率良く行うことができる。
【００３０】
本願発明において、第１および第２アーチリブの第１径間側への回動を、第１アーチリブと第１径間において上記橋脚とは反対側に位置する他の橋脚の基端部に設置された他の回転支承から略鉛直方向に構築された他のアーチリブとをケーブルで連結した後、このケーブルを引き込むことにより行うようにすれば、２組の第１および第２アーチリブの回動作業を同時に行うことができる。
【００３１】
本願発明において、第１および第２アーチリブの第１径間側への回動の際、第２アーチリブと第２径間において上記橋脚とは反対側に位置する他の橋脚の基端部とに連結されたケーブルを送り出すようにすれば、回動作業中の両アーチリブの挙動安定化を図ることができる。
【図面の簡単な説明】
【００３２】
【図１】本願発明の一実施形態に係る架設方法の対象となるアーチ橋を示す側面図
【図２】上記架設方法によるアーチ橋の架設工程を示す側面図（その１）
【図３】上記架設工程を示す側面図（その２）
【図４】上記架設工程を示す側面図（その３）
【図５】図２（ｂ）のＶ部詳細図
【図６】図５のVI方向矢視図
【図７】上記実施形態の第１変形例によるアーチ橋の架設工程を示す側面図
【図８】上記実施形態の第２変形例によるアーチ橋の架設工程を示す側面図
【図９】上記実施形態の第３変形例によるアーチ橋の架設工程を示す側面図
【発明を実施するための形態】
【００３３】
以下、図面を用いて、本願発明の実施の形態について説明する。
【００３４】
図１は、本願発明の一実施形態に係る架設方法の対象となるアーチ橋１０を示す側面図である。
【００３５】
同図に示すように、このアーチ橋１０は、複数の一般径間に配置された複数の一般径間アーチ２０とその両側の端部径間に配置された１対の端部径間アーチ３０とが連続的に形成された多径間連続アーチ橋であって、上路式のコンクリートアーチ橋として構成されている。
【００３６】
複数の一般径間アーチ２０は、いずれも同様の構成を有している。これら各一般径間アーチ２０は、各一般径間の両端部に設置された１対の橋脚４０の基端部に連結されている。
【００３７】
一方、各端部径間アーチ３０は、各一般径間アーチ２０の略半分のアーチ形状を有している。これら各端部径間アーチ３０は、その基端部が橋脚４０の基端部に連結されるとともに、その先端部３０ａが端部径間の反対側の端部に設置された橋台５０の上端部に連結されている。
【００３８】
各橋脚４０は、地盤２に埋設された橋脚基礎４２と、この橋脚基礎４２から上方へ延びる橋脚本体４４とからなり、その橋脚本体４４の下端部４４ａに一般径間アーチ２０および各側径間アーチ３０が連結されている。
【００３９】
各一般径間アーチ２０および各側径間アーチ３０の上面には、複数の鉛直材５２が配置されている。そして、これら各一般径間アーチ２０および各端部径間アーチ３０の上端部ならびに各橋脚４０および各鉛直材５２の上端面には、床版を構成する補剛桁５４が配置されている。なお、各端部径間アーチ３０の先端部３０ａは、その上面が補剛桁５４の上面と面一となるように形成されている。
【００４０】
次に、本実施形態に係るアーチ橋１０の架設方法について説明する。
【００４１】
図２〜４は、本実施形態に係る架設方法によるアーチ橋１０の架設工程を示す側面図である。
【００４２】
以下においては、便宜上、アーチ橋１０をその右側から順次架設する場合において、右側の端部径間に端部径間アーチ３０がすでに架設された状態からの架設工程について説明する。その際、複数の一般径間のうち、端部径間に隣接する一般径間を「第１径間」として、また、この第１径間に隣接する一般径間を「第２径間」として、さらに、この第２径間の左側に隣接する一般径間を「第３径間」として説明する。
【００４３】
まず、図２（ａ）に示すように、各一般径間の両端部に位置する地盤２に、各橋脚４０の橋脚基礎４２を埋設し、その上端面に各橋脚４０の橋脚本体４４の下端部４４ａを構築する。そして、これら各橋脚本体４４の下端部４４ａの上面に、第１および第２回転支承２２、３２を設置する。なお、これらの詳細構造については後述する。
【００４４】
次に、第１径間と第２径間との間に位置する橋脚本体４４の下端部４４ａにおいて、第２径間の一般径間アーチ２０の略右半分を構成する第２アーチリブ２０Ｂを、第２回転支承３２から第２径間へ向けて略水平方向に構築し、また、第１径間の一般径間アーチ２０の略左半分を構成する第１アーチリブ２０Ａを、第１回転支承２２から略鉛直方向に構築する。その際、第２アーチリブ２０Ｂの構築は、第２径間の地盤２に支保工１０２を設置して行い、また、第１アーチリブ２０Ａの構築は、橋脚基礎４２周辺の地盤２に支保工（図示せず）を設置して行う。
【００４５】
次に、図２（ｂ）に示すように、略鉛直方向に構築された第１アーチリブ２０Ａと第２径間へ向けて略水平方向に構築された第２アーチリブ２０Ｂとを、ステー状の剛体として構成された形状保持材１００で連結して両者の位置関係を一定にする。この形状保持材１００の連結は、第１および第２アーチリブ２０Ａ、２０Ｂの各々の長手方向中央部付近において行う。
【００４６】
また、端部径間と第１径間との間に位置する橋脚基礎４２の上端面に、アンカーブロック１０４を設置し、このアンカーブロック１０４にジャッキ１０６を装着する。そして、このアンカーブロック１０４と第１径間の反対側（左側）に構築された第１アーチリブ２０ＡとをＰＣケーブル１０８で連結する。その際、ＰＣケーブル１０８の一端部をアンカーブロック１０４に挿通させた状態でジャッキ１０６に連結し、その他端部を第１アーチリブ２０Ａの先端近傍部位に締結する。
【００４７】
一方、第２径間と第３径間との間に位置する橋脚基礎４２の上端面にアンカーブロック１１４を設置し、このアンカーブロック１１４にジャッキ１１６を装着する。そして、このアンカーブロック１１４と第２径間に構築された第２アーチリブ２０ＢとをＰＣケーブル１１８で連結する。その際、ＰＣケーブル１１８の一端部をアンカーブロック１１４に挿通させた状態でジャッキ１１６に連結し、その他端部を第２アーチリブ３０Ｂの先端部に締結する。
【００４８】
その後、ジャッキ１０６によってＰＣケーブル１０８を引き込むことにより、第１および第２アーチリブ２０Ａ、２０Ｂを形状保持材１００によって両アーチリブ２０Ａ、２０Ｂ相互間の位置関係を保持したまま第１径間側に回動させる。その際、ジャッキ１１６によってＰＣケーブル１１８を送り出すことにより、回動作業中の両アーチリブ２０Ａ、２０Ｂの挙動安定化を図る。
【００４９】
これにより、図２（ｃ）に示すように、第１および第２アーチリブ２０Ａ、２０Ｂがその架設予定位置まで第１径間側に回動したら、ＰＣケーブル１０８の引き込みおよびＰＣケーブル１１８の送り出しを停止する。このとき、第１アーチリブ２０Ａは、第１径間において架設済みの第２アーチリブ２０Ｂ（すなわち一般径間アーチ２０の略右半分を構成する第２アーチリブ２０Ｂ）に対して、その先端面相互間に僅かな隙間（例えば１ｍ以下の隙間）を残して対峙した状態で配置される。
【００５０】
次に、図３（ａ）に示すように、第１径間において第１および第２アーチリブ２０Ａ、２０Ｂの先端部を跨ぐようにして吊り足場１２２を設置し、両者間の僅かな隙間部分にコンクリートを打設して両者を連結する。これによりアーチクラウン部２０ａが閉合された一般径間アーチ２０を完成させる。
【００５１】
図２（ｂ）（ｃ）に示すように、第２径間と第３径間との間に位置する橋脚本体４４の下端部４４ａにおいても、第３径間の一般径間アーチ２０の略右半分を構成する第２アーチリブ２０Ｂおよび第２径間の一般径間アーチ２０の略左半分を構成する第１アーチリブ２０Ａを構築した後、図３（ａ）〜（ｃ）に示すように、両アーチリブ２０Ａ、２０Ｂを形状保持材１００で連結した状態で第２径間側に回動させ、その第１アーチリブ２０Ａを第２径間において架設済みの第２アーチリブ２０Ｂと閉合して一般径間アーチ２０を完成させる。
【００５２】
以下、同様の作業を繰り返すことにより、複数の一般径間アーチ２０を完成させる。
【００５３】
次に、これら複数の一般径間アーチ２０の架設に先立って行われる右側の端部径間アーチ３０の架設工程について説明する。
【００５４】
まず、図４（ａ）に示すように、端部径間と第１径間との間に位置する橋脚本体４４の下端部４４ａにおいて、端部径間アーチ３０の主要部分（すなわち端部径間アーチ３０の先端部３０ａを除いた部分）を構成する第３アーチリブ３０Ａを、第１回転支承２２から端部径間へ向けて略水平方向に構築し、また、第１径間の一般径間アーチ２０の略右半分を構成する第２アーチリブ２０Ｂを、第２回転支承３２から略鉛直方向に構築する。その際、第３アーチリブ３０Ａの構築は、端部径間の地盤２に支保工１３２を設置して行い、また、第２アーチリブ２０Ｂの構築は、橋脚基礎４２周辺の地盤２に支保工（図示せず）を設置して行う。
【００５５】
次に、図４（ｂ）に示すように、略水平方向に構築された第３アーチリブ３０Ａと略鉛直方向に構築された第２アーチリブ２０Ｂとを、形状保持材１００で連結して両者の位置関係を一定にする。
【００５６】
その後、第１径間と第２径間との間に位置する橋脚基礎４２の上端面に、アンカーブロック１２４を設置し、このアンカーブロック１２４にジャッキ１２６を装着する。そして、このアンカーブロック１２４と第１径間の反対側（右側）に構築された第２アーチリブ２０ＢとをＰＣケーブル１２８で連結する。その際、ＰＣケーブル１２８の一端部をアンカーブロック１２４に挿通させた状態でジャッキ１２６に連結し、その他端部を第２アーチリブ２０Ｂの先端近傍部位に締結する。
【００５７】
また、予め構築された橋台５０の下端部の側面にアンカーブロック１３４を設置し、このアンカーブロック１３４にジャッキ１３６を装着する。そして、このアンカーブロック１３４と第３アーチリブ３０ＡとをＰＣケーブル１３８で連結する。その際、ＰＣケーブル１３８の一端部をアンカーブロック１３４に挿通させた状態でジャッキ１３６に連結し、その他端部を第２アーチリブ３０Ｂの先端部に締結する。
【００５８】
その後、ジャッキ１２６によってＰＣケーブル１２８を引き込むことにより、第２および第３アーチリブ２０Ｂ、３０Ａを形状保持材１００によって両アーチリブ２０Ｂ、３０Ａ相互間の位置関係を保持したまま第１径間側に回動させる。その際、ジャッキ１３６によってＰＣケーブル１３８を送り出すことにより、回動作業中の両アーチリブ２０Ｂ、３０Ａの挙動安定化を図る。
【００５９】
これにより、図４（ｃ）に示すように、第２および第３アーチリブ２０Ｂ、３０Ａがその架設予定位置まで第１径間側に回動したら、ＰＣケーブル１２８の引き込みおよびＰＣケーブル１３８の送り出しを停止する。
【００６０】
次に、図４（ｄ）に示すように、橋台５０の上端部から端部径間へ向けて張出し足場１４２を設置して、第３アーチリブ３０Ａの先端面から端部径間アーチ３０の先端部３０ａを延長施工する。これにより、第３アーチリブ３０Ａを橋台５０に連結して端部径間アーチ３０を完成させる。
【００６１】
なお、複数の一般径間アーチ２０の架設後に行われる左側の端部径間アーチ３０の架設の際にも、図４（ｄ）に示すような先端部３０ａの延長施工を行う。その際、この左側の端部径間に隣接する一般径間においては、第３アーチリブ３０Ａの回動に伴って下向きに回動した第２アーチリブ２０Ｂが、架設済みの右側の第２アーチリブ２０Ｂと閉合されることとなる。
【００６２】
そして、このようにして複数の一般径間アーチ２０および１対の端部径間アーチ３０の架設が完了したら、最後に、図１に示すように、各一般径間アーチ２０および各端部径間アーチ３０の上端部ならびに各橋脚４０および各鉛直材５２の上端面に配置される補剛桁５４の施工を行う。
【００６３】
図５は、図２（ｂ）のＶ部詳細図である。また、図６は、図５のVI方向矢視図である。
【００６４】
図６に示すように、第１および第２回転支承２２、３２は、いずれも橋軸直交方向に所要間隔をおいて２箇所にそれぞれ対称の位置関係で設置されている。
【００６５】
各第１回転支承２２は、第１アーチリブ２０Ａの基端面に固定された上シュー２２Ａと、橋脚本体４４の下端部４４ａの上面に固定された下シュー２２Ｂとが、橋軸直交方向に延びる回転軸６０を介して回動可能に連結されている。
【００６６】
また、各第２回転支承３２は、第２アーチリブ２０Ｂの基端面に固定された上シュー３２Ａと、橋脚本体４４の下端部４４ａの上面に固定された下シュー３２Ｂとが、回転軸６０を介して回動可能に連結されている。
【００６７】
すなわち、これら１対の第１回転支承２２および１対の第２回転支承３２の各々は、共通の回転軸６０を有するピン支承として構成されている。
【００６８】
図５に示すように、第１および第２アーチリブ２０Ａ、２０Ｂの基端部２０Ａｂ、２０Ｂｂは、側面視において上シュー２２Ａ、３２Ａへ向けて楔状に狭くなるように形成されている。そしてこれにより、第１および第２アーチリブ２０Ａ、２０Ｂを構築する際、両者が互いに干渉しないようにしている。
【００６９】
次に、本実施形態の作用効果について説明する。
【００７０】
本実施形態においては、橋脚本体４４の下端部４４ａ（すなわち橋脚４０の基端部）に設置された第１および第２回転支承２２、３２から、第１および第２アーチリブ２０Ａ、２０Ｂを略鉛直方向および略水平方向にそれぞれ構築するようになっているので、次のような作用効果を得ることができる。
【００７１】
すなわち、仮に第１および第２アーチリブ２０Ａ、２０Ｂを従来のように張出し工法で架設した場合には、斜め上方向にアーチリブを１ブロックずつ継ぎ足していくことになるため、施工品質を確保しつつ架設するのが容易でなく、このため架設作業に時間がかかってしまう。これに対し、本実施形態のように第１および第２アーチリブ２０Ａ、２０Ｂを略鉛直方向および略水平方向にそれぞれ構築することにより、施工品質を確保した上で架設工期の短縮を図ることができる。
【００７２】
特に、本実施形態に係る架設方法の対象となるアーチ橋１０はコンクリートアーチ橋であって、その第１および第２アーチリブ２０Ａ、２０Ｂもコンクリート製であるので、これらを略鉛直方向に構築することによりコンクリートの充填性を高めることができ、これにより張出し工法の場合に比して施工品質を高めることができる。
【００７３】
その上で、本実施形態においては、第１径間と第２径間との間に位置する橋脚本体４４の下端部４４ａにおいて第１回転支承２２から略鉛直方向に構築された第１アーチリブ２０Ａと第２回転支承３２から第２径間へ向けて略水平方向に構築された第２アーチリブ２０Ｂとを形状保持材１００で連結し、この形状保持材１００によって両アーチリブ２０Ａ、２０Ｂ相互間の位置関係を保持したまま両アーチリブ２０Ａ、２０Ｂをその架設予定位置まで第１径間側に回動させるようになっているので、次のような作用効果を得ることができる。
【００７４】
すなわち、第１および第２アーチリブ２０Ａ、２０Ｂを一体的に回動させることにより、１回の回動作業で両アーチリブ２０Ａ、２０Ｂの架設を行うことができる。したがって架設コストの低減および架設工期の短縮を図ることができる。
【００７５】
また、略鉛直方向に構築された第１アーチリブ２０Ａと第２径間へ向けて略水平方向に構築された第２アーチリブ２０Ｂとを形状保持材で連結しておくことにより、第１および第２アーチリブ２０Ａ、２０Ｂを第１径間側に回動させる際の反力支持構造としての機能を、その一部を構成する第２アーチリブ２０Ｂ自体に持たせることができる。したがって、反力支持構造として従来のような大掛かりな仮設構造を設置することが不要となり、この点においても架設コストの低減および架設工期の短縮を図ることができる。
【００７６】
このように本実施形態によれば、連続形式のアーチ橋１０におけるアーチリブ２０Ａ、２０Ｂの架設にロアリング工法を適用可能とした上で、架設コストの低減および架設工期の短縮を図ることができる。
【００７７】
また本実施形態においては、第１および第２回転支承２２、３２が同じ橋脚本体４４の下端部４４ａに設置されているので、第１および第２回転支承２２、３２に強度上の連続性を持たせることが容易に可能となる。そしてこのようにすることにより、第１アーチリブ２０Ａからの水平反力と第２アーチリブ２０Ｂからの水平反力とを第１および第２回転支承２２、３２において相殺して、第１および第２回転支承２２、３２が負担すべき水平反力を最小限に抑えることができる。
【００７８】
しかも本実施形態においては、第１および第２回転支承２２、３２として、共通の回転軸６０を有するピン支承を用いているので、この回転軸６０において第１アーチリブ２０Ａからの水平反力と第２アーチリブ２０Ｂからの水平反力とを相殺することができ、これにより第１および第２回転支承２２、３２が負担すべき水平反力を最小限に抑えることができる。
【００７９】
本実施形態においては、第１および第２アーチリブ２０Ａ、２０Ｂを架設予定位置まで回動させた後、その第１アーチリブ２０Ａを第１径間において架設済みの第２アーチリブ２０Ｂ（他のアーチリブ）と閉合するようになっているので、多径間連続アーチ橋として構成されたアーチ橋１０の架設を効率良く行うことができる。
【００８０】
さらに本実施形態においては、第１および第２アーチリブ２０Ａ、２０Ｂの第１径間側への回動を、第１アーチリブ２０Ａと第１径間の右側に位置する橋脚本体４４の下端部４４ａとをＰＣケーブル１０８で連結した後、このＰＣケーブル１０８を引き込むことによって行うようになっているので、両アーチリブ２０Ａ、２０Ｂの回動作業を確実に行うことができる。
【００８１】
しかも本実施形態においては、第１および第２アーチリブ２０Ａ、２０Ｂの第１径間側への回動の際、第２アーチリブ２０Ｂと第２径間の左側に位置する橋脚本体４４の下端部４４ａとに連結されたＰＣケーブル１１８を送り出すようになっているので、回動作業中の両アーチリブ２０Ａ、２０Ｂの挙動安定化を図ることができる。
【００８２】
上記実施形態においては、第２アーチリブ２０Ｂを構築した後に第１アーチリブ２０Ａを構築するものとして説明したが、第２アーチリブ２０Ｂの構築と並行して第１アーチリブ２０Ａの構築を行うようにすることも可能である。
【００８３】
上記実施形態においては、アーチ橋１０を右側から順次架設するものとして説明したが、アーチ橋１０を左右両側から順次架設するようにすることも可能である。なお、このようにした場合には、アーチ橋１０の中央に位置する一般径間においては、第２アーチリブ２０Ｂ同士が閉合されることとなる。
【００８４】
上記実施形態においては、第１および第２アーチリブ２０Ａ、２０Ｂの回動にＰＣケーブル１０８、１１８を用いるものとして説明したが、ＰＣケーブル１０８、１１８の代わりに鋼製ワイヤー等を用いることも可能である。
【００８５】
上記実施形態においては、架設対象となるアーチ橋１０が多径間連続アーチ橋であるものとして説明したが、連続形式のアーチ橋であれば、これ以外のアーチ橋であっても本願発明に係る架設方法を採用することが可能である。
【００８６】
上記実施形態においては、架設対象となるアーチ橋１０が上路式アーチ橋であるものとして説明したが、中路式アーチ橋等である場合においても本願発明に係る架設方法を採用することが可能である。
【００８７】
上記実施形態においては、架設対象となるアーチ橋１０がコンクリートアーチ橋であるものとして説明したが、その一部または全部が鋼製である場合等においても、本願発明に係る架設方法を採用することが可能である。
【００８８】
次に、上記実施形態の変形例について説明する。
【００８９】
まず、上記実施形態の第１変形例について説明する。
【００９０】
図７は、本変形例によるアーチ橋１０の架設工程を示す側面図である。
【００９１】
本変形例に係る架設方法も、その基本的な工程は上記実施形態の場合と同様であるが、第１および第２アーチリブ２０Ａ、２０Ｂを一体的に回動させる工程が上記実施形態の場合と異なっている。
【００９２】
すなわち、本変形例においても、図７（ａ）に示すように、第１径間と第２径間との間に位置する橋脚本体４４の下端部４４ａにおいて、第２径間の一般径間アーチ２０の略右半分を構成する第２アーチリブ２０Ｂを、第２回転支承３２から第２径間へ向けて略水平方向に構築し、また、第１径間の一般径間アーチ２０の略左半分を構成する第１アーチリブ２０Ａを、第１回転支承２２から略鉛直方向に構築する。そして、これら第１および第２アーチリブ２０Ａ、２０Ｂを形状保持材１００で連結して両者の位置関係を一定にする。
【００９３】
本変形例においては、図７（ｂ）に示すように、第１径間において架設済みの第２アーチリブ２０Ｂの先端部の上面にアンカーブロック２０４を設置し、このアンカーブロック２０４にジャッキ２０６を装着する。そして、このアンカーブロック２０４と略鉛直方向に構築された第１アーチリブ２０ＡとをＰＣケーブル２０８で連結する。その際、ＰＣケーブル２０８の一端部をアンカーブロック２０４に挿通させた状態でジャッキ２０６に連結し、その他端部を第１アーチリブ２０Ａの先端部に締結する。
【００９４】
一方、第２径間へ向けて略水平方向に構築された第２アーチリブ２０Ｂの先端部の上端面にアンカーブロック２１４を設置し、このアンカーブロック２１４にジャッキ２１６を装着する。そして、このアンカーブロック２１４と第２径間の左側に位置する橋脚本体４４の下端部４４ａとをＰＣケーブル２１８で連結する。その際、ＰＣケーブル２１８の一端部をアンカーブロック２１４に挿通させた状態でジャッキ２１６に連結し、その他端部を橋脚本体４４の下端部４４ａの上面に設置された回動軸６０等に締結する。
【００９５】
その後、ジャッキ２０６によってＰＣケーブル２０８を引き込むことにより、第１および第２アーチリブ２０Ａ、２０Ｂを形状保持材１００によって両アーチリブ２０Ａ、２０Ｂ相互間の位置関係を保持したまま第１径間側に回動させる。その際、ジャッキ２１６によってＰＣケーブル２１８を送り出すことにより、回動作業中の両アーチリブ２０Ａ、２０Ｂの挙動安定化を図る。
【００９６】
これにより、図７（ｃ）に示すように、第１および第２アーチリブ２０Ａ、２０Ｂがその架設予定位置まで第１径間側に回動したら、ＰＣケーブル２０８の引き込みおよびＰＣケーブル２１８の送り出しを停止する。このとき、第１アーチリブ２０Ａは、第１径間において架設済みの第２アーチリブ２０Ｂに対して、その先端面相互間に僅かな隙間（例えば１ｍ以下の隙間）を残して対峙した状態で配置される。
【００９７】
その後の架設工程は、上記実施形態の場合と同様である。
【００９８】
本変形例のように、第１および第２アーチリブ２０Ａ、２０Ｂを第１径間側へ一体的に回動させる際、第１アーチリブ２０Ａと第１径間において架設済みの第２アーチリブ２０Ｂ（他のアーチリブ）とを連結するＰＣケーブル２０８を引き込むことによって行うようにすれば、多径間連続アーチ橋として構成されたアーチ橋１０の架設を効率良く行うことができる。
【００９９】
また本変形例のように、第１および第２アーチリブ２０Ａ、２０Ｂの第１径間側への回動の際、第２アーチリブ２０Ｂと第２径間の左側に位置する橋脚本体４４の下端部４４ａとに連結されたＰＣケーブル２１８を送り出すことによっても、上記実施形態の場合と同様、回動作業中の両アーチリブ２０Ａ、２０Ｂの挙動安定化を図ることができる。
【０１００】
次に、上記実施形態の第２変形例について説明する。
【０１０１】
図８は、本変形例によるアーチ橋１０の架設工程を示す側面図である。
【０１０２】
本変形例に係る架設方法も、その基本的な工程は上記実施形態の場合と同様であるが、第１および第２アーチリブ２０Ａ、２０Ｂを一体的に回動させる工程が上記実施形態の場合と異なっている。
【０１０３】
ただし本変形例においては、第１径間が端部径間から離れた位置にある一般径間であるものとして説明する。
【０１０４】
本変形例においても、図８（ａ）に示すように、第１径間とその左側に隣接する第２径間との間に位置する橋脚本体４４の下端部４４ａにおいて、第２径間の一般径間アーチ２０の略右半分を構成する第２アーチリブ２０Ｂを、第２回転支承３２から第２径間へ向けて略水平方向に構築し、また、第１径間の一般径間アーチ２０の略左半分を構成する第１アーチリブ２０Ａを、第１回転支承２２から略鉛直方向に構築する。そして、これら第１および第２アーチリブ２０Ａ、２０Ｂを形状保持材１００で連結して両者の位置関係を一定にする。
【０１０５】
一方、第１径間とその右側に隣接する一般径間との間に位置する橋脚本体４４の下端部４４ａにおいて、上記一般径間の一般径間アーチ２０の略左半分を構成する第１アーチリブ２０Ａを、第２回転支承２２から上記一般径間へ向けて略水平方向に構築し、また、第１径間の一般径間アーチ２０の略右半分を構成する第２アーチリブ２０Ｂを、第１回転支承３２から略鉛直方向に構築する。そして、これら第１および第２アーチリブ２０Ａ、２０Ｂを形状保持材１００で連結して両者の位置関係を一定にする。
【０１０６】
本変形例においては、略鉛直方向に構築された第１アーチリブ２０Ａの先端部の上面にアンカーブロック３０４Ａを設置し、このアンカーブロック３０４Ａにジャッキ３０６Ａを装着するとともに、略鉛直方向に構築された第２アーチリブ２０Ｂの先端部の上面にアンカーブロック３０４Ｂを設置し、このアンカーブロック３０４Ｂにジャッキ３０６Ｂを装着する。そして、これら１対のアンカーブロック３０４Ａ、３０６ＢをＰＣケーブル３０８で連結する。その際、ＰＣケーブル３０８の一端部をアンカーブロック３０４Ａに挿通させた状態でジャッキ３０６Ａに連結するとともに、その他端部をアンカーブロック３０４Ｂに挿通させた状態でジャッキ３０６Ｂに連結する。
【０１０７】
また、第２径間の左側に位置する橋脚基礎４２の上端面にアンカーブロック３１４Ａを設置し、このアンカーブロック３１４Ａにジャッキ３１６Ａを装着する。そして、このアンカーブロック３１４Ａと第２径間に構築された第２アーチリブ２０ＢとをＰＣケーブル３１８Ａで連結する。その際、ＰＣケーブル３１８Ａの一端部をアンカーブロック３１４Ａに挿通させた状態でジャッキ３１６Ａに連結し、その他端部を第２アーチリブ２０Ｂの先端部に締結する。
【０１０８】
一方、上記一般径間の右側に位置する橋脚基礎４２の上端面に、アンカーブロック３１４Ｂを設置し、このアンカーブロック３１４Ｂにジャッキ３１６Ｂを装着する。そして、このアンカーブロック３１４Ｂと上記一般径間に構築された第１アーチリブ２０ＡとをＰＣケーブル３１８Ｂで連結する。その際、ＰＣケーブル３１８Ｂの一端部をアンカーブロック３１４Ｂに挿通させた状態でジャッキ３１６Ｂに連結し、その他端部を第１アーチリブ２０Ａの先端部に締結する。
【０１０９】
次に、図８（ｂ）に示すように、１対のジャッキ３０６Ａ、３０６ＢによってＰＣケーブル３０８を両側から引き込むことにより、２組の第１および第２アーチリブ２０Ａ、２０Ｂの各々を形状保持材１００によって両アーチリブ２０Ａ、２０Ｂ相互間の位置関係を保持したまま、それぞれ第１径間側に回動させる。その際、１対のジャッキ３１６Ａ、３１６Ｂによって１対のＰＣケーブル３１８Ａ、３１８Ｂをそれぞれ送り出すことにより、回動作業中の各組の両アーチリブ２０Ａ、２０Ｂの挙動安定化を図る。
【０１１０】
これにより、図８（ｃ）に示すように、２組の第１および第２アーチリブ２０Ａ、２０Ｂの各々がその架設予定位置まで第１径間側に回動したら、ＰＣケーブル３０８の引き込みおよび両ＰＣケーブル３１８Ａ、３１８Ｂの送り出しを停止する。このとき第１径間において、第１アーチリブ２０Ａと第２アーチリブ２０Ｂとが、その先端面相互間に僅かな隙間（例えば１ｍ以下の隙間）を残して対峙した状態で配置される。
【０１１１】
その後、第１径間において第１および第２アーチリブ２０Ａ、２０Ｂの先端部を跨ぐようにして吊り足場３２２を設置し、両者間の僅かな隙間部分にコンクリートを打設して両者を連結する。これによりアーチクラウン部２０ａが閉合された一般径間アーチ２０を完成させる。
【０１１２】
その後の架設工程は、上記実施形態の場合と同様である。
【０１１３】
本変形例のように、第１径間の両側において略鉛直方向に構築された１対の第１および第２アーチリブ２０Ａ、２０ＢをＰＣケーブル３０８で連結した後、このＰＣケーブル３０８を引き込むことにより、両アーチリブ２０Ａ、２０Ｂをこれらと形状保持材１００を介して連結された第２および第１アーチリブ２０Ｂ、２０Ａと共に第１径間側へ回動させるようにすれば、２組の第１および第２アーチリブ２０Ａ、２０Ｂの回動作業を同時に行うことができる。そしてこれにより、多径間連続アーチ橋として構成されたアーチ橋１０の架設を効率良く行うことができる。
【０１１４】
また本変形例においても、各組の第１および第２アーチリブ２０Ａ、２０Ｂの第１径間側への回動の際、各組毎に連結されたＰＣケーブル３１８Ａ、３１８Ｂを送り出すようになっているので、上記実施形態の場合と同様、回動作業中の各組の第１および第２アーチリブ２０Ａ、２０Ｂの挙動安定化を図ることができる。
【０１１５】
なお本変形例においては、１対のジャッキ３０６Ａ、３０６ＢによってＰＣケーブル３０８を両側から引き込むものとして説明したが、いずれか一方によってＰＣケーブル３０８を片側から引き込むようにすることも可能である。
【０１１６】
また本変形例においては、第１径間が端部径間から離れた位置にある一般径間であるものとして説明したが、この第１径間が端部径間と隣接する一般径間である場合においても、本変形例の架設方法を適用することが可能である。
【０１１７】
次に、上記実施形態の第３変形例について説明する。
【０１１８】
図９は、本変形例によるアーチ橋１０の架設工程を示す側面図である。
【０１１９】
本変形例に係る架設方法も、その基本的な工程は上記実施形態の場合と同様であるが、端部径間アーチ３０の架設工程が上記実施形態の場合と異なっている。
【０１２０】
すなわち、まず、図９（ａ）に示すように、端部径間と第１径間との間に位置する橋脚本体４４の下端部４４ａにおいて、第１径間の一般径間アーチ２０の略右半分を構成する第２アーチリブ２０Ｂを、第１回転支承２２から第１径間へ向けて略水平方向に構築し、また、端部径間アーチ３０の全体を構成する（すなわち端部径間アーチ３０の先端部３０ａになるべき先端部４３０Ａａを有する）第３アーチリブ４３０Ａを、第２回転支承３２から略鉛直方向に構築する。その際、第２アーチリブ２０Ｂの構築は、第１径間の地盤２に支保工１３２を設置して行い、また、第３アーチリブ４３０Ａの構築は、橋脚基礎４２周辺の地盤２に支保工（図示せず）を設置して行う。
【０１２１】
次に、図９（ｂ）に示すように、略水平方向に構築された第２アーチリブ２０Ｂと略鉛直方向に構築された第３アーチリブ４３０Ａとを、形状保持材１００で連結して両者の位置関係を一定にする。
【０１２２】
その後、第１径間と第２径間との間に位置する橋脚基礎４２の上端面に、アンカーブロック４２４を設置し、このアンカーブロック４２４にジャッキ４２６を装着する。そして、このアンカーブロック４２４と第１径間の反対側（右側）に構築された第２アーチリブ２０ＢとをＰＣケーブル４２８で連結する。その際、ＰＣケーブル４２８の一端部をアンカーブロック４２４に挿通させた状態でジャッキ４２６に連結し、その他端部を第２アーチリブ２０Ｂの先端部に締結する。
【０１２３】
また、予め構築された橋台５０の下端部の側面にアンカーブロック４３４を設置し、このアンカーブロック４３４にジャッキ４３６を装着する。そして、このアンカーブロック４３４と第３アーチリブ４３０ＡとをＰＣケーブル４３８で連結する。その際、ＰＣケーブル４３８の一端部をアンカーブロック４３４に挿通させた状態でジャッキ４３６に連結し、その他端部を第３アーチリブ４３０Ａの先端近傍部位に締結する。
【０１２４】
その後、ジャッキ４３６によってＰＣケーブル４３８を引き込むことにより、図９（ｃ）に示すように、第２および第３アーチリブ２０Ｂ、４３０Ａを形状保持材１００によって両アーチリブ２０Ｂ、４３０Ａ相互間の位置関係を保持したまま端部径間側に回動させる。その際、ジャッキ４２６によってＰＣケーブル４２８を送り出すことにより、回動作業中の両アーチリブ２０Ｂ、４３０Ａの挙動安定化を図る。
【０１２５】
これにより、図９（ｄ）に示すように、第２および第３アーチリブ２０Ｂ、４３０Ａがその架設予定位置まで端部径間側に回動したら、ＰＣケーブル４３８の引き込みおよびＰＣケーブル４２８の送り出しを停止する。そして、第３アーチリブ４３０Ａをその先端部４３０Ａａにおいて橋台５０に固定することにより端部径間アーチ３０を完成させる。
【０１２６】
なお、左側の端部径間アーチ３０の架設についても、右側の端部径間アーチ３０の架設と同様にして行う。その際、この左側の端部径間に隣接する一般径間においては、第３アーチリブ４３０Ａの回動に伴って上向きに回動した第２アーチリブ２０Ｂが、架設済みの右側の第２アーチリブ２０Ｂと閉合されることとなる。
【０１２７】
なお、上記実施形態およびその変形例において諸元として示した数値は一例にすぎず、これらを適宜異なる値に設定してもよいことはもちろんである。
【０１２８】
また、本願発明は、上記実施形態およびその変形例に記載された構成に限定されるものではなく、これ以外の種々の変更を加えた構成が採用可能である。
【符号の説明】
【０１２９】
２  地盤
１０  アーチ橋
２０  一般径間アーチ
２０ａ  アーチクラウン部
２０Ａ  第１アーチリブ
２０Ａｂ、２０Ｂｂ  基端部
２０Ｂ  第２アーチリブ
２２  第１回転支承
２２Ａ、３２Ａ  上シュー
２２Ｂ、３２Ｂ  下シュー
３０  端部径間アーチ
３０ａ、４３０Ａａ  先端部
３０Ａ、４３０Ａ  第３アーチリブ
３２  第２回転支承
４０  橋脚
４２  橋脚基礎
４４  橋脚本体
４４ａ  下端部
５０  橋台
５２  鉛直材
５４  補剛桁
６０  回転軸
１００  形状保持材
１０２、１３２  支保工
１０４、１１４、１２４、１３４、２０４、２１４、３０４Ａ、３０４Ｂ、３１４Ａ、３１４Ｂ、４２４、４３４  アンカーブロック
１０６、１１６、１２６、１３６、２０６、２１６、３０６Ａ、３０６Ｂ、３１６Ａ、３１６Ｂ、４２６、４３６  ジャッキ
１０８、１１８、１２８、１３８、２０８、２１８、３０８、３１８Ａ、３１８Ｂ、４２８、４３８  ＰＣケーブル（ケーブル）
１２２、３２２  吊り足場
１４２  張出し足場
【図１】
2017048613.tif 000003
【図２】
2017048613.tif 000004
【図３】
2017048613.tif 000005
【図４】
2017048613.tif 000006
【図５】
2017048613.tif 000007
【図６】
2017048613.tif 000008
【図７】
2017048613.tif 000009
【図８】
2017048613.tif 000010
【図９】
2017048613.tif 000011